(57)【要約】【課題】  海外で携帯電話機を使用する際に、簡単な操作で携帯電話機を海外で利用可能な仕様に変更することを可能とする。【解決手段】  携帯電話機１００は、時刻情報を表示する表示部１４と、ユーザが所望する国や地域を選択する入力部１６と、選択された国や地域に対応する現地時刻を前記時刻情報として設定する表示時刻変更部１１１と、選択された国や地域に対応する文字入力モードに切り替え設定する文字入力モード変更部１１２と、を備え、ユーザ所望の国・地域を選択する操作を行うだけで、その国・地域に対応する現地時刻に時刻表示を切り替えるとともに、その国・地域に対応する文字入力モードを切り替えるように構成する。【選択図】  図３
2010193389.tif 000002
【特許請求の範囲】
【請求項１】
現在時刻を表示可能であり、少なくとも異なる２以上の言語での文字入力モードを搭載している電子機器であり、
国や地域が選択されると、表示する現在時刻を自動的に前記選択された国や地域における現在時刻に修正して表示すると共に、文字入力モードも自動的に前記選択された国や地域で使用されている言語に変更することを特徴とする電子機器。
【請求項２】
請求項１に記載の電子機器であり、
更に、国や地域が選択されると、自動的に表示する文字を前記選択された国や地域で使用されている言語に変更することを特徴とする電子機器。
【請求項３】
請求項２に記載の電子機器であり、
更に、国や地域が選択されると、自動的にメール機能に関連する画面は、表示する文字を前記選択された国や地域で使用されている言語に変更し、メール機能に関連する画面を除く画面はユーザの使用言語で表示することを特徴とする電子機器。
【請求項４】
時刻を表示する表示手段と、
国や地域を選択する選択手段と、
前記選択手段により選択された国や地域に対応する現地時刻を前記表示手段に表示する時刻として設定する時刻設定手段と、
前記選択手段により選択された国や地域に対応する文字入力モードに切り替え設定する文字入力モード設定手段と、を有し、
前記選択手段により国や地域が選択されると、自動的に前記時刻設定手段により、前記選択手段により選択された国や地域に対応する現地時刻を前記表示手段に表示する時刻として設定し、更に、自動的に前記文字入力モード設定手段により、前記選択手段により選択された国や地域に対応する文字入力モードに切り替え設定することを特徴とする電子機器。
【請求項５】
請求項４に記載の電子機器であり、
更に、前記選択手段によって選択された国や地域に対応する言語を前記表示手段の表示言語として設定する表示言語設定手段を有し、
前記選択手段に国や地域が選択されると、自動的に前記表示言語設定手段により、前記選択手段によって選択された国や地域に対応する言語を前記表示手段の表示言語として設定することを特徴する電子機器。
【請求項６】
請求項５に記載の電子機器であり、前記表示言語設定手段は、メール機能に関連する画面を表示する際には、前記選択手段によって選択された国や地域に対応する言語を前記表示手段の表示言語として設定し、メール機能に関連する画面を除いた画面を表示する際には、ユーザの使用言語で表示することを特徴とする電子機器。
【発明の詳細な説明】
【技術分野】
【０００１】
本発明は、国際ローミングサービスを利用して世界各国で使用することができる携帯電話機等の通信装置に関するものであり、特に、各国の現地時間に応じて時刻表示を行う機能を備えた電子機器に関するものである。
【背景技術】
【０００２】
近年、国内で使用している携帯電話機を海外においても使用できる国際ローミングサービスが普及し始めている。この国際ローミングサービスを利用して自機を渡航先で使用する場合に、ユーザは自機の表示時刻を渡航先の現地時間に変更するといった各種設定を渡航先の国または地域に応じて変更する必要がある。このため、時刻表示を行える携帯電話機の中には、表示時刻をユーザが所望する時刻に補正することができる機能を備えたものが提案されている。
【０００３】
このような表示時刻の補正を行える電子機器の従来例としては、例えば、特許文献１（特開２００８−２２４４３５号公報）に記載されている。この携帯端末等の電子機器において、内蔵時計を標準時刻に補正する機能に加え、補正後の内蔵時計に基づく表示時刻を更に補正する時刻補正値の設定と、該時刻補正値を設定する時間帯（補正表示時間帯）と、をユーザの操作により設定可能とし、ユーザの希望時間帯だけ表示時刻を補正して表示することが示されている。
【先行技術文献】
【特許文献】
【０００４】
【特許文献１】特開２００８−２２４４３５号公報（段落［００２８］、図５）
【発明の概要】
【発明が解決しようとする課題】
【０００５】
しかしながら、携帯電話機等の電子機器において渡航先の国または地域に応じて変更する必要がある設定項目は、表示時刻の設定の他にも、文字表示における表示言語の設定や文字入力における入力言語の設定など各種設定が存在するため、これらの設定変更には時間がかかり変更作業が煩わしいという問題点があった。
【０００６】
本願の発明者は上記の問題点を解消すべく種々検討を重ねた結果、携帯電話機等に設けられた特定のボタンを押下、または、携帯電話機の表示画面に表示されたメニュー一覧から機能選択画面等を開いて所望の国を選択すると、自動的にその国の時刻となるように時刻補正を行うと共に、携帯電話機の文字入力モードをその国の言語に変更設定するようになせば、上記の問題点を解消し得ることを想到し本発明を完成するに至ったものである。
【０００７】
すなわち、本発明は、上記の問題点を解消することを課題とし、海外で携帯電話機を使用する際に、簡単な操作で携帯電話機を海外で利用可能な仕様に変更することを可能とすることを目的とするものである。
【課題を解決するための手段】
【０００８】
前記課題を解決するため、本願の請求項１に係る発明は、現在時刻を表示可能であり、少なくとも異なる２以上の言語での文字入力モードを搭載している電子機器であり、国や地域が選択されると、表示する現在時刻を自動的に前記選択された国や地域における現在時刻に修正して表示すると共に、文字入力モードも自動的に前記選択された国や地域で使用されている言語に変更することを特徴とする。
請求項２に記載の電子機器は、請求項１に記載の電子機器であり、更に、国や地域が選択されると、自動的に表示する文字を前記選択された国や地域で使用されている言語に変更することを特徴とする。
請求項３に記載の電子機器は、請求項２に記載の電子機器であり、更に、国や地域が選択されると、自動的にメール機能に関連する画面は、表示する文字を前記選択された国や地域で使用されている言語に変更し、メール機能に関連する画面を除く画面はユーザの使用言語で表示することを特徴とする。
請求項４に記載の電子機器は、時刻を表示する表示手段と、国や地域を選択する選択手段と、前記選択手段により選択された国や地域に対応する現地時刻を前記表示手段に表示する時刻として設定する時刻設定手段と、前記選択手段により選択された国や地域に対応する文字入力モードに切り替え設定する文字入力モード設定手段と、を有し、前記選択手段により国や地域が選択されると、自動的に前記時刻設定手段により、前記選択手段により選択された国や地域に対応する現地時刻を前記表示手段に表示する時刻として設定し、更に、自動的に前記文字入力モード設定手段により、前記選択手段により選択された国や地域に対応する文字入力モードに切り替え設定することを特徴とする。
【０００９】
請求項５に記載の電子機器は、請求項４に記載の電子機器であり、更に、前記選択手段によって選択された国や地域に対応する言語を前記表示手段の表示言語として設定する表示言語設定手段を有し、前記選択手段に国や地域が選択されると、自動的に前記表示言語設定手段により、前記選択手段によって選択された国や地域に対応する言語を前記表示手段の表示言語として設定することを特徴する。
【００１０】
請求項６に記載の電子機器は、請求項５に記載の電子機器であり、前記表示言語設定手段は、メール機能に関連する画面を表示する際には、前記選択手段によって選択された国や地域に対応する言語を前記表示手段の表示言語として設定し、メール機能に関連する画面を除いた画面を表示する際には、ユーザの使用言語で表示することを特徴とする。
【発明の効果】
【００１１】
本願の電子機器は、次のような効果を奏する。すなわち、請求項１及び４に記載の発明においては、国や地域が選択されると、表示する現在時刻を自動的に選択された国や地域にすると共に文字入力モードも自動的に選択された国や地域で使用されている言語による文字入力モードにする為、ユーザが海外に旅行に行った際に一々現在時刻や文字入力モードを設定する必要がない。
【００１２】
又、請求項２及び５に記載の発明においては、更に表示する文字も選択された国や地域で使用されている言語で表示する為、容易に、電子機器をその国での表示仕様にすることが可能である。
【００１３】
更に、請求項３及び６に記載の発明においては、更にメール機能に関連する画面は、表示する文字を選択された国や地域で使用されている言語で表示する為、容易にメールを作成する際には電子機器をその国での表示仕様にし、メール作成を容易にすることが可能である。一方、電話帳や着信履歴などはユーザの使用言語で表示される為、ユーザは電話帳等の検索を戸惑う事無く行うことが可能である。
【図面の簡単な説明】
【００１４】
【図１】本発明の実施例に係る携帯電話機の概略構成を示すブロック図である。
【図２】本発明の実施例に係る携帯電話機の外観を示す図である。
【図３】本発明の実施例に係る携帯電話機においてユーザの操作に応じて表示部に表示される表示画面の一例を示す図である。
【図４】本発明の実施例に係る携帯電話機においてユーザの操作に応じて表示部に表示される表示画面のその他を示す図である。
【発明を実施するための形態】
【００１５】
以下、本発明の具体例を実施例及び図面を用いて詳細に説明する。但し、以下に示す実施例は、本発明の技術思想を具体化するための携帯電話機を例示するものであって、本発明をこの携帯電話機に特定することを意図するものではなく、特許請求の範囲に含まれるその他の実施形態の電子機器にも等しく適用し得るものである。
【実施例】
【００１６】
図１は、本発明の実施例に係る携帯電話機の概略構成を示すブロック図である。携帯電話機１００は、図１のブロック図に示すように、通信部１、アンテナ２、ベースバンド部３、第１スピーカ４、増幅回路５，７，９、マイクロホン６、第２スピーカ８、切替部１０、制御部１１、ＲＯＭ１２、ＲＡＭ１３、表示部１４、バイブレータ１５、入力部１６、開閉検出部１７などを備えて構成されている。なお、表示部１４は本発明の表示手段に相当し、入力部１６は本発明の選択手段に相当する。
【００１７】
通信部１は、アンテナ２と接続されており、アンテナ２を介して基地局からの電波を受信し、アンテナ２を介してベースバンド部３からの信号を基地局へ発信する。ベースバンド部３は、通信部１と接続されており、ＣＤＭＡ処理回路３１と、音声コーデック３２と、を有している。
【００１８】
ここで、ＣＤＭＡ処理回路３１は、符号分割多元接続、スクランブル、誤り制御、タイミング検出を行う。また、音声コーデック３２は、音声を圧縮（符号化）、伸張（復号化）したり、アナログとデジタルの変換を行ったり、内部の増幅回路（図示省略）により受話音量やマイクロホンの感度を変更する。
【００１９】
第１スピーカ４は、増幅回路５で増幅されたベースバンド部３の電気信号を音声に変換する。この第１スピーカ４は、ユーザの耳にあてて通話に使用される。マイクロホン６は、通話に使用され、音声を電気信号に変換する。マイクロホン６により出力された電気信号は、増幅回路７で増幅されてベースバンド部３に出力される。
【００２０】
第２スピーカ８は、増幅回路９で増幅されたベースバンド部３の電気信号を音声に変換する。この第２スピーカ８は、受話音を周囲の人にも聞かせるための拡声用のスピーカである。また、第２スピーカ８は、着信報知の鳴動も行う。
【００２１】
切替部１０は、ベースバンド部３と接続されるとともに、増幅回路５，７，９を介してそれぞれ第１スピーカ４、マイクロホン６、第２スピーカ８と接続されている。そして、ベースバンド部３との接続を、第１スピーカ４用の増幅回路５とマイクロホン６用の増幅回路７側にするか、あるいは拡声用の第２スピーカ８用の増幅回路９とマイクロホン６用の増幅回路７側にするかを切り替える。
【００２２】
制御部１１は、マイクロプロセッサからなる制御手段であり、ＲＯＭ１２及びＲＡＭ１３と接続されており、ＲＯＭ１２に記憶されたシステムプログラムに基づきは各部を制御する。制御部１１は、通信部１、ベースバンド部３および切替部１０とそれぞれ接続されており、制御部１１の制御により上述した切替部１０による切り替えが行われる。また、制御部１１によりベースバンド部３の音声コーデック３２が制御され、音声コーデック３２により第１スピーカ４及び第２スピーカ８の音量やマイクロホン６の感度が変更される。
【００２３】
また、ＲＡＭ１３には、制御部１１の動作に必要な情報である携帯電話機１００の各種機能の設定フラグや、ユーザが入力する電話帳等の登録情報を記憶する。さらに、本実施例では、ＲＡＭ１３には、各国及び地域間の時差データと、各国・地域と文字入力モードとを対応付けてテーブル化した文字入力モード変換データと、各国語の表示用言語（例えば、日本語、英語、中国語の３カ国語の表示用言語）として用意される表示言語データと、が記憶される。
【００２４】
表示部１４は、液晶パネルや有機ＥＬパネルなどから構成される表示手段であり、制御部１１と接続されている。表示部１４は、制御部１１の制御により、メニュー画面や操作画面、時刻情報、電話帳情報、電子メールといった各種視覚情報を表示する。バイブレータ１５は、制御部１１に接続されており、制御部１１の制御に基づき着信時に振動を発生させる。
【００２５】
入力部１６は、制御部１１に接続されており、電話番号等の入力を行うテンキー１６１、カーソル移動等に用いられる十字キー１６２、各種機能の設定を行う機能キー１６３の他に、発呼及び通話の開始等を操作する通話キー、通話の終了等を操作する終話キー、決定キー、クリアキー等を有している。
【００２６】
開閉検出部１７は、後述するようにスピーカ４や表示部１４が配設された第１の筐体（上部筐体２０１）と、マイクロホン６や入力部１６が配設された第２の筐体（下部筐体２０２）とを回動開閉自在に結合するヒンジ機構２０２の開閉状態を検出し、検出結果を制御部１１に出力する。
【００２７】
また、本実施例の制御部１１は、表示時刻変更部１１１と、文字入力モード変更部１１２と、表示言語変更部１１３と、を備えている。表示時刻変更部１１１は、表示部１４に表示させる時刻情報をユーザが選択した所望の国・地域に対応する現地時間に変更して表示部１４に表示させ、文字入力モード変更部１１２は、入力部１６を用いて入力できる文字種をユーザが選択した所望の国・地域に対応する言語の文字種に対応した文字入力モードにモード設定を切り替える。また、表示言語変更部１１３は、表示部１４に表示させる文字表示をユーザが選択した所望の国・地域に対応する言語に変更して表示部１４に表示させる。
【００２８】
なお、表示時刻変更部１１１は本発明の時刻情報設定手段に相当し、文字入力モード変更部１１２は本発明の文字入力モード設定手段に相当し、表示言語変更部１１３は本発明の表示言語設定手段に相当する。
【００２９】
表示時刻変更部１１１は、表示部１４に表示された国選択リストから入力部１６で受け付けられた選択入力により指定された国・地域に基づいて、ＲＡＭ１３に記憶されている各国及び地域間の時差データからその国・地域の時差データを読み出し、読み出した時差データに基づいてその国・地域の現在時刻を算出する。例えば、日本の現在時刻が表示されている状態においてユーザが所望の国として「米国」を選択すると、米国の時差データと日本の時差データとから、米国と日本との時差を算出し、算出された時差と現在の日本時刻から米国での現在時刻を算出する。そして、表示時刻変更部１１１は、算出された所望の国・地域の現在時刻を表示部１４に出力して表示部１４の表示画面（例えば、待ち受け画面）に表示させる。
【００３０】
文字入力モード変更部１１２は、表示部１４に表示された国選択リストから入力部１６で受け付けられた選択入力により指定された国・地域に基づいて、ＲＡＭ１３に記憶されている文字入力モード変換データを参照し、入力部１６を用いて入力できる文字種に対応した文字入力モードにモード設定を切り替える。例えば、現在の文字入力モードが仮名入力モードに設定されている状態においてユーザが所望の国として「米国」を選択すると、文字入力モードを米国と対応付けられているアルファベット入力モードに切り替える。切り替え設定された文字入力モードは、対応した文字入力モードを表すフラグをＲＡＭ１３に格納することで、その状態が表示部１４において表示され、その文字種が入力可能となる。
【００３１】
表示言語変更部１１３は、表示部１４に表示された国選択リストから入力部１６で受け付けられた選択入力により指定された国・地域に基づいて、ＲＡＭ１３に記憶されている各国及び地域に対応する表示言語データからその国・地域に対応する表示言語データを読み出し、読み出した表示言語データに基づいて文字表示を行う。例えば、現在の文字表示が日本語に設定されている状態においてユーザが所望の国として「米国」を選択すると、表示部１４の文字表示が英語に変更される。
【００３２】
図２は、本発明の実施例に係る携帯電話機の外観を示す図である。携帯電話機１０は、ヒンジ機構２０３により回動開閉自在に結合された上部筐体２０１と下部筐体２０２からなり、図２では、通話時あるいは設定操作時に２つの筐体が開いた状態を示す携帯電話機の外観を示している。
【００３３】
図２に示すように、上部筐体２０１には、スピーカ４と表示部１４とが設けられ、表示部１４の表示画面１４１には、待ち受け画面等が表示される。下部筐体２０２には、入力部１６とマイクロホン６とが設けられている。入力部１６を形成する操作キー群には、テンキー１６１、十字（４方向）キー１６２および機能キー１６３が含まれている。
【００３４】
機能キー１６３は、国選択専用ボタンとしてユーザ所望の国や地域が選択できるように所定の国や地域が予め割り当てられている。例えば、図２に示す３つの機能キー１６３に対して、それぞれ日本、米国、中国を選択するように割り当てられているとすると、ユーザによって米国を選択する機能キーが押下されると、表示時刻変更部１１１の制御により表示画面１４１の待ち受け画面では時刻表示を米国時刻に切り替えて表示するとともに、文字入力モード変更部１１２の制御により自動的にテンキー１６１等からの文字入力モードもアルファベット入力モードになる。さらに、表示言語変更部１１３の制御により表示画面１４１の文字表示も英語に変更される。
【００３５】
図３は、本発明の実施例に係る携帯電話機においてユーザの操作に応じて表示部に表示される表示画面の一例を示す図である。  図３（ａ）は、携帯電話機１００を使用する国として「日本」が選択されている場合の待ち受け画面の一例を示している。ユーザが設定操作のため折り畳まれた携帯電話機筐体（上部筐体と下部筐体）を開くと、開閉検出部１７からの検出信号に応じて表示部１４に待ち受け画面が表示される。
【００３６】
図３（ａ）に示すように、待ち受け画面１４１ａには、時刻情報３０１ａの他、その上方に受信電波の電界強度のレベルを示すアンテナバー３０２、バッテリの残量を示すバッテリアイコン３０３が表示されている。時刻情報３０１ａは、日本の現在時刻（９時３７分）と日付（２月１７日火曜日）を表しており、曜日を日本語で表わしている。そして、この待ち受け状態において、ユーザによって十字キー１６２が押下されると、表示部１４には、図３（ｂ）に示すメニュー一覧画面１４１ｂが表示される。
【００３７】
図３（ｂ）に示すように、メニュー一覧画面１４１ｂには、メール、Ｗｅｂといった各項目からなるメニュー一覧の他、その上方にアンテナバーやバッテリアイコンとともに、時刻情報３０４ｂ（日本時間：９時３７分、火曜日）が表示されている。また、メニュー一覧画面１４１ｂの下方には、十字キー１６２に割り当てられている操作内容を示すアイコン３０５ｂが表示されており、例えば、図２に示す十字キー１６２は、その左右キーがそれぞれ赤外線受信を指示するための赤外線受信キーとメニュー切り替えを指示するためのメニュー切替キーに割り当てられていることを示し、十字キー１６２のセンターキーがメニュー一覧の中から所望の項目を選択するための選択キーに割り当てられていることを示している。なお、メニュー一覧画面１４１ｂの文字表示は日本語になっている。
【００３８】
図３（ｂ）に示すように、このメニュー一覧表示の状態において、ユーザによって「機能」の項目が選択されると、表示部１４には、図３（ｃ）に示す機能一覧画面１４１ｃが表示される。
【００３９】
図３（ｃ）に示すように、機能一覧画面１４１ｃには、音／バイブ、画面／照明といった各項目からなる機能一覧の他、その上方に図３（ｂ）と同じくアンテナバー、バッテリアイコン、時刻情報が表示されている。また、下方には図３（ｂ）と同じく十字キー１６２に割り当てられている操作内容を示すアイコン（「選択」と「戻る」）が表示されている。
【００４０】
なお、図３（ｂ）に示すメニュー一覧表示の状態において、ユーザによって「メール」の項目が選択されると、表示部１４には、図３（ｂ１）に示すメール作成画面１４１ｂ１が表示される。このとき、メール作成画面１４１ｂ１の下方には、下方には図３（ｂ）と同じく十字キー１６２に割り当てられている操作内容を示すアイコン（「確定」と「変換」）とともに、現在の文字入力モードが仮名入力モードに設定されていることを示すアイコン３０５ｂ１が表示されている。
【００４１】
また、図３（ｂ）に示すメニュー一覧表示の状態において、ユーザによって「アドレス帳」の項目が選択されると、表示部１４には、図３（ｂ２）に示すアドレス帳検索画面１４１ｂ２が表示される。このとき、メール作成画面１４１ｂ１の下方には、下方には図３（ｂ１）と同じく現在の文字入力モードが仮名入力モードに設定されていることを示すアイコン３０５ｂ２が表示されている。
【００４２】
図３（ｃ）に示すように、機能一覧表示の状態において、ユーザによって「国選択」の項目が選択されると、表示部１４には、図３（ｄ）に示す国選択一覧画面１４１ｄが表示される。
【００４３】
図３（ｄ）に示すように、国選択一覧画面１４１ｄには、米国（ハワイ）、米国（太平洋）といった各国・地域からなる国選択一覧の他、その上方に図３（ｂ）と同じくアンテナバー、バッテリアイコン、時刻情報が表示されている。また、下方には図３（ｂ）と同じく十字キー１６２に割り当てられている操作内容を示すアイコン（「選択」と「戻る」と「次に」）が表示されている。
【００４４】
図３（ｄ）に示すように、この国選択一覧表示の状態において、ユーザによって「米国（東部）」の項目が選択されると、表示部１４には、図３（ｅ）に示す待ち受け画面１４１ｅが表示される。
【００４５】
図３（ｅ）に示すように、待ち受け画面１４１ｅには、時刻情報３０１ｅの他、その上方に図３（ａ）と同じくアンテナバーとバッテリアイコンが表示されている。時刻情報３０１ｅは、米国東部の現在時刻（１９時３７分）と日付（２月１６日月曜日）を表しており、曜日を英語で表わしている。
【００４６】
このように、本実施例では、表示部１４に表示された国選択一覧からユーザによって所望の国・地域（例えば、米国東部）が選択されると、表示時刻変更部１１１の制御により待ち受け画面１４１ｅでは時刻表示を米国東部時刻に切り替えて表示するとともに、表示言語変更部１１３の制御により待ち受け画面１４１ｅの文字表示も英語に変更される。
【００４７】
図４は、本発明の実施例に係る携帯電話機においてユーザの操作に応じて表示部に表示される表示画面のその他を示す図である。  図４（ｆ１）〜（ｆ４）は、図３（ｄ）に示す国選択一覧表示の状態において、ユーザによって「米国（東部）」の項目が選択された場合のメール作成画面やアドレス帳検索画面の一例を示している。
【００４８】
図４（ｆ１）に示すように、メール作成画面１４１ｆ１には、メール作成欄の他、その上方にアンテナバーやバッテリアイコンとともに、時刻情報３０４ｆ１（米国東部時間：１９時３７分、月曜日）が表示されている。また、メール作成画面１４１ｆ１の下方には、図３（ｂ１）と同じく十字キー１６２に割り当てられている操作内容を示すアイコン（「ＯＫ」と「Ｃｏｎｖｅｒｔ」）とともに、現在の文字入力モードがアルファベット入力モードに設定されていることを示すアイコン３０５ｆ１が表示されている。なお、メール作成画面１４１ｆ１の文字表示（例えば、時刻情報３０４ｆ１の曜日や操作内容を示すアイコン）は英語になっている。
【００４９】
図４（ｆ２）に示すように、アドレス帳検索画面１４１ｆ２には、名前入力欄の他、その上方に図４（ｆ１）と同じくアンテナバー、バッテリアイコン、時刻情報が表示されている。また、下方には図４（ｆ１）と同じく現在の文字入力モードがアルファベット入力モードに設定されていることを示すアイコン３０５ｆ２が表示されている。なお、アドレス帳検索画面１４１ｆ２の文字表示は英語になっている。
【００５０】
このように、上記実施例では、表示部１４に表示された国選択一覧からユーザによって所望の国・地域（例えば、米国東部）が選択されると、表示時刻変更部１１１の制御により待ち受け画面１４１ｅでは時刻表示を米国東部時刻に切り替えて表示するとともに、文字入力モード変更部１１２の制御により自動的にテンキー１６１等からの文字入力モードもアルファベット入力モードになる。さらに、表示言語変更部１１３の制御により表示画面１４１の文字表示も英語に変更される。
【００５１】
このため、例えば日本人ユーザが米国へ渡航した際に、現地（米国）においてメールを送信する相手先となるのは英語を使用言語とする人々の可能性が高まるので、メール作成時の入力にはアルファベット入力モードになっていることが好ましく、本発明のように、待ち受け画面の時刻情報を現地（米国）時刻に変更するための操作として国の選択を行うと、文字の入力モードも自動的に選択された国に応じて、文字入力モード（例えば、アルファベット入力モード）や表示文字が変更されるので、ユーザの操作設定が簡略化されてユーザの利便性が高まる。
【００５２】
なお、メールの作成などでは選択された国に応じた文字入力モード（例えば、アルファベット入力モード）になると利便性が高まるが、メールの作成を除いた表示画面の文字表示まで選択された国に応じた言語（例えば、英語）に変更すると、例えば、日本人ユーザ等は、かえって分かり難くなる場合もあるので、文字表示はユーザの使用言語（例えば、日本語）のまま維持するのが好ましい。
即ち、メールの作成画面においては、米国で相手側にメールを送信する際にはメール本文を英文で作成する可能性が高い為、文字入力モードをアルファベット入力モードにすると共に表示文字をアルファベットとした方が良いが、相手先にメールを送信しない場合といった、ユーザが表示画面を見るだけの場合（例えば電話帳の表示、着信履歴の表示、機能一覧の表示等）には、ユーザの使用言語で表示させることが好ましく、その方がユーザにとって読みやすい。
【００５３】
一例を挙げてみると、図４の（ｆ１）の画面において、メール本文の作成部分はアルファベットで表示し、その他の時刻表示３０４ｆ１やアイコン３０５ｆ１の部分はユーザの使用言語で表示させても良い。例えば、図４（ｆ３）に示すように、メール作成画面１４１ｆ３には、メール作成欄の他、その上方にアンテナバーやバッテリアイコンとともに、時刻情報３０４ｆ３（米国東部時間：１９時３７分、月曜日）が表示されている。また、メール作成画面１４１ｆ３の下方には、図４（ｆ１）と同じく十字キー１６２に割り当てられている操作内容を示すアイコン（「確定」と「変換」）とともに、現在の文字入力モードがアルファベット入力モードに設定されていることを示すアイコン３０５ｆ３が表示されている。ここで、メール作成画面１４１ｆ３の文字表示（例えば、時刻情報３０４ｆ３の曜日や操作内容を示すアイコン）は日本語になっている。
【００５４】
更に、他の例として、メール作成以外の文字入力、例えば、アドレス帳やスケジュール等の文字入力は、入力後のアドレス等をユーザ自身が利用するものであるので、このときの文字入力はユーザの使用言語（例えば、日本語）のまま維持するのが好ましい。このため、メール（他人と共有するデータ等）作成時の文字入力はアルファベット入力モードになるが、その他（個人で利用するデータ等）の文字入力の場合には日本語入力モード（仮名入力モード）のままにしてもよい。また、文字表示もユーザの使用言語（例えば、日本語）のまま維持するのが好ましい。例えば、図４（ｆ４）に示すように、アドレス帳検索画面１４１ｆ４には、名前入力欄の他、その上方に図４（ｆ３）と同じくアンテナバー、バッテリアイコン、時刻情報３０４ｆ４（米国東部時間：１９時３７分、月曜日）が表示されている。また、下方には図３（ｂ２）と同じく現在の文字入力モードが仮名入力モードに設定されていることを示すアイコン３０５ｆ４が表示されている。なお、ここでもアドレス帳検索画面１４１ｆ４の文字表示（例えば、時刻情報３０４ｆ４の曜日や操作内容を示すアイコン）は日本語になっている。
【００５５】
以上説明したように本発明に係る携帯電話機によれば、ユーザ所望の国・地域を選択する操作を行うだけで、その国・地域に対応する現地時刻に時刻表示を切り替えるとともに、その国・地域に対応する文字入力モードあるいは文字表示を切り替えるように構成することで、簡単な操作で海外で携帯電話機を使用することができる仕様に設定変更することができる。
【００５６】
なお、上記実施例では、携帯電話機としてヒンジ機構により２つの筐体が結合された形態の折り畳み型携帯電話機について説明したが、携帯電話機はこれに限ることなく、その他の形態の携帯電話機に適用することも可能である。例えば、スライド型の携帯電話機やストレート型の携帯電話機であっても本発明は同様に適用可能である。
【００５７】
また、上記実施例では、本発明を携帯電話機に適用した場合で説明したが、本発明は、これに限定されず、ＰＤＡ（Ｐｅｒｓｏｎａｌ  Ｄｉｇｉｔａｌ  Ａｓｓｉｓｔａｎｔ）やＰＮＤ（Ｐｏｒｔａｂｌｅ  Ｎａｖｉｇａｔｉｏｎ  Ｄｅｖｉｃｅ）などの他の通信装置であってもよく、また、携帯音楽プレーヤや携帯ゲーム機などの一般的に通信機能を有しない他の電子機器であってもよい。
【符号の説明】
【００５８】
１００・・・・携帯電話機
１・・・・通信部
２・・・・アンテナ
３・・・・ベースバンド部
３１・・・・ＣＤＭＡ処理回路
３２・・・・音声コーデック
４・・・・第１スピーカ
５，７，９・・・・増幅回路
６・・・・マイクロホン
８・・・・第２スピーカ
１０・・・・切替部
１１・・・・制御部
１１１・・・・表示時刻変更部
１１２・・・・文字入力モード変更部
１１３・・・・表示言語変更部
１２・・・・ＲＯＭ
１３・・・・ＲＡＭ
１４・・・・表示部
１４１・・・・表示画面
１５・・・・バイブレータ
１６・・・・入力部
１６１・・・・テンキー
１６２・・・・十字キー
１６３・・・・機能キー
１７・・・・開閉検出部
２０１・・・・上部筐体
２０２・・・・下部筐体
２０３・・・・ヒンジ機構
【図１】
2010193389.tif 000003
【図２】
2010193389.tif 000004
【図３】
2010193389.tif 000005
【図４】
2010193389.tif 000006